【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
電池モジュールの一部を備えるモジュールコントローラであって、
（ａ）送信電気信号を受信するためであり、前記送信電気信号を送信光信号に変換するように構成された第１の電気光学送信機と、
（ｂ）前記電気光学送信機に通信で結合され、前記送信電気信号を生成するように構成された信号生成回路と、
（ｃ）受信電気信号を処理するように構成された信号処理回路と、
（ｄ）受信光信号をパックコントローラから受信するためであり、前記信号処理回路による処理のために前記受信光信号を受信電気信号に変換するように構成された第１の電気光学受信機と
を備え、
（ｉ）前記受信信号が、前記パックコントローラからの光安全信号を含み、前記電気光学受信機が、前記光安全信号を電気安全信号に変換するようにさらに構成され、
（ｉｉ）前記送信信号が光安全障害信号を含み、前記第１の電気光学送信機が、電気安全障害信号を前記光安全障害信号に変換するようにさらに構成され、
（ｉｉｉ）前記信号生成回路及び前記信号処理回路が、
（１）前記電池モジュールで安全障害を検出することに応えて、障害検出信号を生成するように構成された安全障害検出回路と、
（２）前記第１の電気光学受信機、前記第１の電気光学送信機、及び前記安全障害検出回路に通信で結合された安全無効回路であって、前記安全無効回路が、前記障害検出信号に応えて前記電気安全障害信号を前記第１の電気光学送信機に送信するように構成される、安全無効回路と
を備える、前記モジュールコントローラ。
【請求項２】
前記信号処理生成回路が、
（ａ）前記電気光学受信機及び前記電気光学送信機に通信で結合されたモジュールコントローラプロセッサと、
（ｂ）前記プロセッサに通信で結合されたモジュールコントローラメモリであって、その上に、前記プロセッサに前記受信電気信号を処理させ、前記送信電気信号を生成させるための、前記プロセッサによって実行可能なコンピュータプログラムコードを記憶している、前記メモリと
を備える、請求項１に記載のモジュールコントローラ。
【請求項３】
前記送信光信号が、前記電池モジュールの状態を示すメッセージデータをさらに含み、前記受信光信号が、前記電池モジュールの前記状態を要求するメッセージデータを含む、
前記送信された光信号が、前記電池モジュールの状態を示すメッセージデータを含み、前記モジュールコントローラが、そうするようにとの前記パックコントローラからの要求がないときは、前記メッセージデータを送信する、及び、
前記コンピュータプログラムコードがさらに、前記プロセッサに、半二重通信を使用し、通信させる、又は、前記コンピュータプログラムコードがさらに、前記プロセッサに、全二重通信を使用し、通信させる、
のうちのいずれか１つ以上である、請求項２に記載のモジュールコントローラ。
【請求項４】
前記第１の電気光学受信機が、第１の通信チャネルの一部を備え、前記第１の電気光学送信機が、第２の通信チャネルの一部を備える、請求項３に記載のモジュールコントローラ。
【請求項５】
前記第１の電気光学送信機及び電気光学受信機が、単一の通信チャネルの一部を備え、
任意選択で、前記電気光学送信機及び前記電気光学受信機が、下流電気光学トランシーバを備え、さらに上流モジュールコントローラから前記光メッセージデータを受信し、上流モジュールコントローラに前記光メッセージデータを送信するための、前記プロセッサに通信で結合された上流電気光学トランシーバを備え、前記上流電気光学トランシーバが、前記光メッセージデータと前記電気メッセージデータの交換を行うように構成され、前記コンピュータプログラムコードがさらに、前記プロセッサに、それぞれ前記上流電気光学トランシーバから前記電気メッセージデータを受信し、前記上流電気光学トランシーバに前記電気メッセージを送信することによって前記上流モジュールコントローラから前記光メッセージデータを受信させ、前記上流モジュールコントローラに前記光メッセージデータを送信させ、
さらに任意選択で、前記コンピュータプログラムコードがさらに、前記プロセッサに、前記上流電気光学トランシーバで前記上流モジュールコントローラから受信された前記光メッセージデータを、前記パックコントローラへの送信のために前記下流電気光学トランシーバに中継させる、請求項３に記載のモジュールコントローラ。
【請求項６】
前記障害検出信号及び前記電気安全障害信号が同一である、及び／又は、
前記光障害信号が、前記パックコントローラ上のウォッチドッグタイマに送信され、前記ウォッチドッグタイマのタイムアウト期間よりも長い間、一定に保たれる一定信号を含む、請求項１に記載のモジュールコントローラ。
【請求項７】
前記安全障害検出回路が、
（ａ）電力コネクタが接続可能である第１のインターロック接点であって、前記電力コネクタが、前記インターロック接点に接続されるとき前記電池モジュールの一部を備える電池セルに電気的に結合された電池接点の対にも接続され、前記インターロック接点に接続していないとき、電池接点の前記対に接続されていない、第１のインターロック接点と、
（ｂ）前記インターロック接点に通信で結合されたインターロック信号線であって、前記障害検出信号が、前記電力コネクタが接続されないとき、記インターロック信号線に沿って送信され、さもなければ前記インターロック信号線に沿って送信されない、インターロック信号線と
を備え、
任意選択で
前記第１のインターロック接点が、前記電力コネクタが接続されているとき電気的に結合され、前記電力コネクタが接続されていないとき電気的に切り離される第２のインターロック接点をさらに備え、前記インターロック信号線が、前記電力コネクタが接続されていないとき、前記障害検出信号にプルアップ又はプルダウンされ、前記電力コネクタが接続されるとき、前記障害検出信号とは異なる信号を出力する前記第２のインターロック接点に短絡する、及び、
前記安全障害検出回路がさらに、前記電池セル全体で電気的に結合される電圧計と、前記電池セルの温度を測定するために配置されたサーミスタとのうちの少なくとも１つを備え、前記障害検出信号が、過電圧状態、不足電圧状態、温度過上昇状態、別のモジュールコントローラとの通信の喪失、前記パックコントローラとの通信の喪失、及び前記モジュールコントローラプロセッサの故障のうちの１つ以上に応えて生成される、
のうちの一方又は両方である、請求項１又は６に記載のモジュールコントローラ。
【請求項８】
前記電気光学送信機が、前記パックコントローラへ送信するために電気再開信号を光再開信号に変換するように構成され、前記安全障害検出回路がさらに、前記安全障害が停止すると、前記障害検出信号を生成するのを停止するように構成され、前記安全無効回路がさらに、前記障害検出信号が停止すると、前記電気光学送信機に前記電気再開信号を送信するように構成され、
任意選択で、前記光安全信号及び前記光再開信号が同一である、請求項１、６、及び７のいずれか１項に記載のモジュールコントローラ。
【請求項９】
前記パックコントローラから光メッセージデータを受信し、前記パックコントローラに前記光メッセージデータを送信するための下流電気光学トランシーバをさらに備え、前記下流電気光学トランシーバが、前記光メッセージデータと前記電気メッセージデータの変換を行うように構成され、前記信号生成回路及び前記信号処理回路が、さらに、
（ａ）前記下流電気光学トランシーバに及び前記電気光学受信機に通信で結合されたモジュールコントローラプロセッサと、
（ｂ）前記モジュールコントローラプロセッサに通信で結合されたモジュールコントローラメモリであって、その上に、前記モジュールコントローラプロセッサに、前記電池モジュールが前記安全障害を経験しているとき、それぞれ前記下流電気光学トランシーバから前記電気メッセージデータを受信し、前記下流電気光学トランシーバに前記電気メッセージデータを送信することによって前記パックコントローラから前記光メッセージデータを受信し、前記パックコントローラに前記光メッセージデータを送信するために、前記下流電気光学トランシーバを使用させる、前記モジュールコントローラメモリと
を備え、
任意選択で
上流モジュールコントローラから前記光メッセージデータを受信し、上流モジュールコントローラに前記光メッセージデータを送信するための、前記プロセッサに通信で結合された上流電気光学トランシーバをさらに備え、前記上流電気光学トランシーバが、前記光メッセージデータと前記電気メッセージデータの変換を行うように構成され、前記コンピュータプログラムコードがさらに、前記プロセッサに、前記電池モジュールが前記安全障害を経験しているとき、それぞれ前記上流電気光学トランシーバから前記電気メッセージデータを受信し、前記上流電気光学トランシーバに前記電気メッセージデータを送信することによって、前記上流モジュールコントローラから前記光メッセージデータを受信させ、前記上流モジュールコントローラに前記光メッセージデータを送信させる、
前記コンピュータプログラムコードがさらに、前記プロセッサに、前記電池モジュールが前記安全障害を経験しているとき、半二重通信を使用し、通信させる、及び、
前記電池モジュールが前記安全障害を経験していないとき、前記パックコントローラが、前記電気光学受信機に前記光メッセージデータを送信し、前記電気光学受信機が、前記光メッセージデータを前記電気メッセージデータに変換するように構成され、前記コンピュータプログラムコードがさらに、前記プロセッサに、前記電気メッセージデータを前記下流電気光学トランシーバに中継させる、
のうちの１つ以上であり、
任意選択で、前記コンピュータプログラムコードがさらに、前記プロセッサに、前記電池モジュールが前記安全障害を経験していないとき、全二重通信を使用し、通信させる、請求項８に記載のモジュールコントローラ。
【請求項１０】
（ａ）前記パックコントローラから光メッセージデータを受信するための第２の上流電気光学受信機であって、前記光メッセージデータを電気メッセージデータに変換するように構成される前記第２の上流電気光学受信機と、
（ｂ）前記光メッセージデータを前記パックコントローラに送信するための第２の下流電気光学送信機であって、前記第２の下流電気光学受信機が、前記電気メッセージデータを前記光メッセージデータに変換するように構成され、前記第１の上流電気光学受信機及び前記第１の下流電気光学送信機が、第１の通信チャネルの一部を備え、前記第２の上流電気光学受信機及び前記第２の下流電気光学送信機が、第２の通信チャネルの一部を備える、第２の下流電気光学送信機と
をさらに備え
前記信号生成回路及び前記信号処理回路がさらに、
（ｃ）前記第２の下流電気光学送信機に及び前記第２の上流電気光学受信機に通信で結合されたモジュールコントローラプロセッサと、
（ｄ）前記モジュールコントローラプロセッサに通信で結合されたモジュールコントローラメモリであって、その上に、前記プロセッサに、
（ｉ）前記パックコントローラによって送信されたコマンドに対する、前記光メッセージデータの一部を含む応答を前記第２の電気光学送信機チャネルに送信させ、
（ｉｉ）重複しておらず、前記第２の上流電気光学受信機で受信される前記光メッセージデータを、前記第２の下流電気光学送信機に転送させ、
（ｉｉｉ）前記コマンドが、前記第１の上流電気光学受信機で受信されるのか、それとも前記第２の上流電気光学受信機で受信されるのかに関わりなく、前記パックコントローラから受信された前記コマンドを実行させる
ための、前記モジュールコントロールプロセッサによって実行可能なコンピュータプログラムコードを記憶している前記モジュールコントローラメモリと
を備え、
任意選択で、前記コンピュータプログラムコードが、前記プロセッサに、前記第２の上流電気光学受信機で受信された前記光メッセージデータのすべてを、前記第２の下流電気光学送信機に転送させる、請求項８に記載のモジュールコントローラ。
【請求項１１】
前記電池モジュールが前記安全障害を経験しているときだけ、前記コンピュータプログラムコードがさらに、前記プロセッサに、重複しておらず、前記第１の上流電気光学受信機で受信される前記光メッセージデータを前記第２の下流電気光学受信機に転送させる、又は、
前記電池モジュールが前記安全障害を経験しているかどうかに関わりなく、前記コンピュータプログラムコードがさらに、前記プロセッサに、重複しておらず、前記第１の上流電気光学受信機で受信される前記光メッセージデータを、前記第２の下流電気光学受信機に転送させる、又は、
前記コンピュータプログラムコードがさらに、前記プロセッサに、前記電池モジュールが前記安全障害を経験しているかどうかに関わりなく、シンプレックス通信を使用し、通信させる、請求項１０に記載のモジュールコントローラ。
【請求項１２】
前記コンピュータプログラムコードがさらに、タイムアウト期間中光信号を受信しなかったと同時に、前記プロセッサを低電力モードに入らせるように構成される、又は、
前記コンピュータプログラムコードがさらに、前記パックコントローラによってそうするように命令されると同時に、前記プロセッサを低電力モードに入らせるように構成される、請求項２から５及び９から１１のいずれか１項に記載のモジュールコントローラ。
【請求項１３】
前記コンピュータプログラムコードがさらに、前記低電力モードにいる間に光信号を受信すると同時に、前記プロセッサに前記低電力モードを終了させるように構成される、請求項１２に記載のモジュールコントローラ。
【請求項１４】
第２の通信チャネルの一部を含む、第２の電気光学送信機をさらに備え、
前記第１の電気光学送信機及び電気光学受信機が、第１の通信チャネルの一部を含み、
前記送信光信号が、前記電池モジュールの状態を示すメッセージデータを含み、前記受信光信号が、前記電池モジュールの前記状態を要求するメッセージデータを含み、
前記モジュールコントローラが安全障害を経験しているとき、前記モジュールコントローラが、前記第１の通信チャネルに含まれる前記第１の電気光学受信機から、前記第２の通信チャネルに含まれる第２の電気光学送信機に、前記受信光信号を中継するように構成される、請求項３に記載のモジュールコントローラ。
【請求項１５】
前記光安全障害信号が、遮断されている前記光信号によって表される、請求項１から１４のいずれか１項に記載のモジュールコントローラ。